(57)【要約】【課題】  浴槽を浴槽フロア上の適正な設定位置に設置することのできる浴槽の設置構造を提供すること。【解決手段】  浴槽２２を浴槽フロア２１上に設置するための浴槽の設置構造２０において、浴槽２２の底面における四隅に下面に係合凹部２７が形成された脚部２６をそれぞれ設けるとともに、浴槽フロア２１の上面に、係合凹部２７に係合することにより浴槽２２を浴槽フロア２１上の設定位置に位置決めする被係合突部２４をそれぞれ設けた。【選択図】  図１
2006149434.tif 000002
【特許請求の範囲】
【請求項１】
浴槽を浴槽フロア上に設置するための浴槽の設置構造であって、前記浴槽の底面に係合部を設けるとともに、前記浴槽フロアの上面に、前記係合部に係合することにより前記浴槽を前記浴槽フロア上の設定位置に位置決めする被係合部を設けたことを特徴とする浴槽の設置構造。
【請求項２】
前記係合部を前記浴槽の底面の四隅に設けられた脚部で構成し、前記被係合部を前記脚部と係合できる被係合凹部で構成した請求項１に記載の浴槽の設置構造。
【請求項３】
前記係合部を前記浴槽の底面の四隅に設けられた脚部に形成した係合凹部で構成し、前記被係合部を前記係合凹部に係合できる被係合突部で構成した請求項１に記載の浴槽の設置構造。
【請求項４】
前記係合部を前記浴槽の底面に設けられた枠状の突部または台状の突部で構成した請求項１に記載の浴槽の設置構造。
【請求項５】
前記浴槽フロアの上面に、浴槽フロアの一方の縁部から他方の縁部側に向けて下り傾斜になった傾斜ガイド部を設けるとともに、前記傾斜ガイド部の下端部または前記下端部の近傍部分に前記浴槽の係合部と係合する被係合部を設けた請求項１に記載の浴槽の設置構造。
【発明の詳細な説明】
【技術分野】
【０００１】
本発明は、浴槽を浴槽フロア上に設置するための浴槽の設置構造に関する。
【背景技術】
【０００２】
従来から、浴室ユニット等においては、防水パンからなる浴槽フロアの上面に浴槽を設置する際には、浴槽フロアの周囲に設けられた壁パネルを基準にして浴槽の設置が行われている。また、このような浴室ユニットの中には、浴槽フロアの上面に浴槽を設置するための台部等を設けたものもある（例えば、特許文献１参照）。このような場合、通常は、台部にケガキ線を施して設置位置の目安にしている。
【特許文献１】特開２００３−２９００６６号公報
【発明の開示】
【０００３】
しかしながら、前述した浴槽ユニットでは、浴槽に設けられた排水用のトラップと排水管の排水口との位置合わせが難しく、位置調整のために一旦設置した浴槽をずらしたり、再度持ち上げたりする必要が生じて手間がかかるという問題がある。また、浴槽の底面と浴槽フロアとの間が狭すぎると、浴槽が浴槽フロアにおける設定位置に設置されているか否かの確認がし難いという問題もある。さらに、浴槽に隣接してカウンターが設置される浴槽ユニットにおいて、浴槽を壁パネルを基準として設置すると、反り等によって壁パネルの位置にずれが生じている場合には、浴槽とカウンターとの合わせ面に隙間やずれが生じたりして外観上好ましくないという問題もある。
【０００４】
本発明は、前述した問題に対処するためになされたもので、その目的は、浴槽を浴槽フロア上の適正な設定位置に設置することのできる浴槽の設置構造を提供することである。
【０００５】
前述した目的を達成するため、本発明に係る浴槽の設置構造の構成上の特徴は、浴槽を浴槽フロア上に設置するための浴槽の設置構造であって、浴槽の底面に係合部を設けるとともに、浴槽フロアの上面に、係合部に係合することにより浴槽を浴槽フロア上の設定位置に位置決めする被係合部を設けたことにある。
【０００６】
前述したように構成した本発明に係る浴槽の設置構造では、浴槽を浴槽フロアに設置する際に、浴槽の係合部を浴槽フロアの被係合部に係合させることにより、浴槽フロアにおける設定位置に浴槽を正確に設置することができる。したがって、浴槽を浴槽フロア上に設置したのちに、移動させたり持ち上げたりしながら位置調整をするといった作業が不要になる。また、浴槽の係合部と浴槽フロアの被係合部との係合によって、浴槽が設定位置に設置されるため設置位置の確認も不要になる。さらに、浴槽に隣接してカウンターを設置する場合は、カウンターが適正な設定位置に設置されていれば、浴槽とカウンターとの合わせ面に隙間やずれが生じることがなくなり外観上好ましいものとなる。
【０００７】
本発明に係る浴槽の設置構造の他の構成上の特徴は、係合部を浴槽の底面の四隅に設けられた脚部で構成し、被係合部を脚部と係合できる被係合凹部で構成したことにある。これによると、通常浴槽の底面に設けられている脚部で係合部を構成しているため、別途浴槽に係合部を設ける必要がなくなり浴槽の構造が簡単になる。また、浴槽フロアに設ける被係合部を、脚部で構成される係合部と係合可能な凹部で構成しているため、被係合部の形成も簡単にできる。
【０００８】
本発明に係る浴槽の設置構造のさらに他の構成上の特徴は、係合部を浴槽の底面の四隅に設けられた脚部に形成した係合凹部で構成し、被係合部を係合凹部に係合できる被係合突部で構成したことにある。この場合の係合凹部としては、棒状の脚部の底面に穴部を設けたもので構成してもよいし、脚部そのものを下面が開口した枠体や筒体で構成してもよい。そして、被係合突部は、係合凹部の形状に合わせて形成する。これによっても、浴槽を浴槽フロアの設定位置に正確に設置することができる。
【０００９】
本発明に係る浴槽の設置構造のさらに他の構成上の特徴は、係合部を浴槽の底面に設けられた枠状の突部または台状の突部で構成したことにある。
【００１０】
この場合の枠状の突部または台状の突部は１個の大きなもので構成し、枠状の突部の場合は、浴槽の底面の周縁部または周縁部の近傍に沿って形成し、台状の突部の場合には、浴槽の底面の略全面に近い部分に形成する。また、この場合、浴槽フロアに設ける被係合部を、枠状の突部の内面に係合できる台状の突部、枠状の突部または枠状の突部の外面に係合できる枠状の突部や、台状の突部に係合できる枠状の突部で構成することができる。
【００１１】
さらに、浴槽フロアに設ける被係合部を、枠状の突部の内外面や台状の突部の外面に沿って所定間隔で設けた複数の突起で構成することもできる。これらの構成によると、係合部と被係合部との係合が簡単にできるようになるため、浴槽の設置作業が容易になる。また、必要に応じて浴槽フロアの被係合部を枠状の突部または台状の突部で構成し、浴槽の係合部を枠状の突部の内外面や台状の突部の外面に沿って所定間隔で設けた複数の突起で構成することもできる。
【００１２】
本発明に係る浴槽の設置構造のさらに他の構成上の特徴は、浴槽フロアの上面に、浴槽フロアの一方の縁部から他方の縁部側に向けて下り傾斜になった傾斜ガイド部を設けるとともに、傾斜ガイド部の下端部または下端部の近傍部分に浴槽の係合部と係合する被係合部を設けたことにある。
【００１３】
これによると、浴槽の係合部を傾斜ガイド部の上面に載せて、浴槽フロアの一方の縁部側から他方の縁部側に滑らせる等してガイドさせながら、浴槽を浴槽フロア上の所定の設定位置に設置できる。すなわち、浴槽の係合部が傾斜ガイド部に沿って下降し傾斜ガイド部の下端部または下端部の近傍部分に設けられた被係合部の位置に達したときに被係合部と係合するため、浴槽は浴槽フロアにおける設定位置に設置される。この場合、浴槽の係合部が浴槽フロアの被係合部に係合したときに、浴槽が水平状態になるように、浴槽の底面または脚部を形成しておく。また、係合部は浴槽の底面に設けた脚部で構成してもよいし、他の部分に別途設けてもよい。
【００１４】
このように構成したため、作業者は、例えば、バンド等を浴槽に巻き付けて浴槽を持ち上げるといった作業をすることなく簡単に浴槽を浴槽フロアに設置することができる。また、交換や点検のために浴槽を浴槽フロアから取り出す際には、浴槽を手前側に引っ張ることにより浴槽フロアから引き出すことができるため、取り出しのための作業も容易になる。このため、浴槽の設置や取り出しの作業を一人の作業者でもできるようになる。
【００１５】
この場合、傾斜ガイド部は、浴槽フロアの一方の縁部から他方の縁部にかけて設けてもよいし、浴槽フロアの一方の縁部から一方の縁部と他方の縁部との間における所定の部分までの間に設けてもよい。また、傾斜ガイド部は、浴槽フロアの一方の縁部の幅方向の全体にわたって設けてもよいし、浴槽を浴槽フロアに設置する際に係合部が通過する部分だけに設けてもよい。この浴槽の設置構造は、浴槽を設置する際の作業場所が狭い場合に、より大きな効果を発揮することができる。
【発明を実施するための最良の形態】
【００１６】
（第１実施形態）
以下、本発明の第１実施形態を図面を用いて説明する。図１は、本発明に係る浴槽の設置構造２０を備えた浴室ユニット１０を示しており、この浴室ユニット１０は、図２に示した洗い場フロア１１と浴槽フロア２１とからなる浴室用フロアＦを備えている。この浴室用フロアＦは、建物の躯体を構成する床面部１２の上面に設置されており、周縁部に壁パネル１３ａ，１３ｂ，１３ｃ，１３ｄ等およびドア（図１における手前側に位置する壁パネルおよびドアは図示せず。）が起立状態で設置されている。そして、壁パネル１３ａ等の上端には、天井パネル（図示せず）が掛け渡されて固定されている。
【００１７】
洗い場フロア１１は、洗い場の床面を構成するとともにカウンター１４を設置するためのフロアであり、樹脂による一体成形により構成されている。この洗い場フロア１１は、周縁部に、高さの低い周壁部１１ａが形成された浅い防水パンで構成されている。そして、洗い場フロア１１の上面における壁パネル１３ｃ側部分に、カウンター１４を設置するための台部１５が形成され、台部１５に給水管等の配管を通すための穴部１６が３個形成されている。
【００１８】
また、洗い場フロア１１の底部における浴槽フロア２１側部分の縁部に沿った方向の略中央には排水口（図示せず）が設けられ、その排水口の上方に排水口用蓋１７が着脱可能な状態で設置されている。この洗い場フロア１１の床面には、周壁部１１ａ側が高く、排水口用蓋１７側が低くなった水勾配が形成されている。そして、洗い場フロア１１の外部側底面の各角部近傍等の所定部分には、洗い場フロア１１を支持するとともに、洗い場フロア１１の高さ調整を行うための支脚１８が設けられている。
【００１９】
浴槽フロア２１は、浴槽２２を設置するためのフロアであり、樹脂による一体成形により構成されている。また、この浴槽フロア２１は、周縁部に洗い場フロア１１の周壁部１１ａと比較して略垂直方向に高く設定された周壁部２１ａが形成された深い防水パンで構成されており、周壁部２１ａにおける洗い場フロア１１に沿った部分は、洗い場フロア１１の周壁部１１ａの対応する部分に接続されている。
【００２０】
また、浴槽フロア２１の底部における洗い場フロア１１側の縁部に沿った方向の略中央近傍には排水口２３が形成されている。そして、浴槽フロア２１の上面における浴槽２２の底面の各角部近傍に対応する部分に、上面が閉塞された円筒状の被係合突部２４がそれぞれ互いに間隔を保って形成されている。この被係合突部２４の下面には、図３に示したように、凹部が形成されており、被係合突部２４の厚みは、浴槽フロア２１を構成する他の部分の厚みと略等しくなるように設定されている。
【００２１】
また、浴槽フロア２１の外部側底面の各角部近傍には、浴槽フロア２１および浴槽２２を支持するとともに、浴槽フロア２１の高さ調整を行うための支脚２５がそれぞれ設けられている。また、浴槽フロア２１の排水口２３と、洗い場フロア１１の排水口とは、浴室用フロアＦの下方に設置された排水管（図示せず）にそれぞれ接続されている。
【００２２】
浴槽２２は、樹脂による一体成形により構成されており、上面が開口した四角容器状の本体部２２ａと、本体部２２ａの上端縁部に形成された周縁部２２ｂとで構成されている。そして、浴槽２２の底面における被係合突部２４に対応する部分に脚部２６がそれぞれ設けられ、脚部２６の底面に、図３に示したように、被係合突部２４と係合可能な係合凹部２７がそれぞれ形成されている。
【００２３】
この脚部２６の係合凹部２７をそれぞれ対応する被係合突部２４に係合させたときに、浴槽２２が浴槽フロア２１における設定位置に位置するようにして、被係合突部２４が浴槽フロア２１に形成され、係合凹部２７が浴槽２２の脚部２６に形成されている。また、周壁部１１ａと周壁部２１ａとの接続部と、浴槽２２の周縁部２２ｂの下面との間には、板状のエプロン２８が取り付けられる。
【００２４】
この構成において、浴槽２２を浴槽フロア２１上に設置する場合には、まず、浴室ユニット１０内における洗い場フロア１１の床面に浴槽２２を運び、ついで、浴槽２２の向きを設置する位置に合わせて浴槽２２を浴槽フロア２１側に移動させる。つぎに、浴槽２２を持ち上げて、脚部２６の係合凹部２７を被係合突部２４にあわせて浴槽２２を浴槽フロア２１上に降ろす。
【００２５】
これによって、浴槽２２を浴槽フロア２１上の適正な設置位置に設置することができる。その後、周壁部１１ａと周壁部２１ａとの接続部と、浴槽２２の周縁部２２ｂの下面との間に、エプロン２８を取り付ける。さらに、台部１５上にカウンター１４を設置する。この場合、浴槽２２が正確に設定位置に設置されているため、浴槽２２とカウンター１４との間に隙間ができたりずれが生じたりすることがない。
【００２６】
このように、本実施形態に係る浴槽の設置構造２０では、浴槽２２の脚部２６に設けた係合凹部２７を浴槽フロア２１の被係合突部２４に係合させることにより、浴槽２２を浴槽フロア２１の設定位置に正確に設置することができる。したがって、浴槽２２の浴槽フロア２１に対する位置合わせが容易になり、浴槽２２を浴槽フロア２１上に設置したのちに、移動させたり持ち上げたりしながら位置調整をするといった作業は不要になる。また、浴槽２２の係合凹部２７と浴槽フロア２１の被係合突部２４との係合によって、浴槽２２が設定位置に設置されるため、設置位置が適正であるか否かの確認も不要になる。さらに、浴槽２２とカウンター１４との合わせ面に隙間やずれが生じないため外観上も優れたものとなる。
【００２７】
（第２実施形態）
図４は、本発明の第２実施形態に係る浴槽の設置構造を備える被係合凹部３４と係合突部３７とを示している。すなわち、この浴槽の設置構造では、浴槽フロア３１の上面に４個（１個しか図示せず）の筒状の突起が設けられており、その上面に被係合凹部３４が形成されている。そして、浴槽３２の底面における被係合凹部３４に対応する部分に被係合凹部３４と係合可能な円柱状の係合突部３７が形成されている。
【００２８】
したがって、被係合凹部３４と係合突部３７とを係合させることにより、浴槽３２は浴槽フロア３１の設定位置に正確に設置される。この浴槽の設置構造のそれ以外の部分の構成については、前述した浴槽の設置構造２０と同一であり、この浴槽の設置構造も前述した浴室ユニット１０と同様の浴室ユニットに設けられる。また、本実施形態に係る浴槽の設置構造においても、前述した浴槽の設置構造２０と同様の作用効果を奏し得る。
【００２９】
（第３実施形態）
図５は、本発明の第３実施形態に係る浴槽の設置構造４０を備えた浴室ユニット１０ａを示している。この浴槽の設置構造４０では、浴槽フロア４１の上面中央に台状の被係合台部４４が設けられている。そして、被係合台部４４の上面中央に作業用の開口部４４ａが形成され、開口部４４ａに開閉蓋４５が取り付けられている。また、浴槽フロア４１の底部における洗い場フロア４９側の縁部に沿った方向の略中央部分には小さめの排水口４３が形成されている。
【００３０】
そして、浴槽４２の底面における被係合台部４４に対応する部分に被係合台部４４と係合可能な枠状の係合突部４７が形成されている。この係合突部４７の枠内に被係合台部４４を係合させることにより、浴槽４２は浴槽フロア４１における設定された位置に設置される。この浴室ユニット１０ａのそれ以外の部分の構成については、前述した浴室ユニット１０と同一である。したがって、同一部分に同一符号を記して説明は省略する。
【００３１】
このように、被係合台部４４と係合突部４７とが各１個からなる比較的大きな部分で構成されているため、被係合台部４４と係合突部４７との係合が簡単にできるようになる。この結果、浴槽４２の設置作業が容易になる。また、被係合台部４４に開口部４４ａを設けているため、この開口部４４ａから支脚２５の高さ調整等の作業が容易になる。この浴槽の設置構造４０のそれ以外の作用効果については、前述した浴槽の設置構造２０等と同様である。
【００３２】
（第４実施形態）
図７は、本発明の第４実施形態に係る浴槽の設置構造５０を備えた浴室ユニット１０ｂを示している。この浴槽の設置構造５０では、浴槽フロア５１の周壁部５１ａのうちの洗い場フロア５９側の部分から、浴槽フロア５１の中央側（周壁部５１ａにおける洗い場フロア５９側部分と対向する部分側）に向って、図８に示したように、２個の傾斜ガイド部５４ａ，５４ｂが、排水口５３を挟んだ状態で間隔を保って形成されている。
【００３３】
この傾斜ガイド部５４ａ，５４ｂは、洗い場フロア５９側部分が高く、洗い場フロア５９から遠ざかるにしたがって低くなるように形成され、平面視が長方形になっている。そして、浴槽フロア５１の上面における傾斜ガイド部５４ａ，５４ｂの傾斜面の下端部近傍に被係合突部５５ａ，５５ｂが設けられている。また、浴槽５２の底面における壁パネル１３ａ側に位置する部分の両側に脚部５６がそれぞれ設けられ、浴槽５２の底面における洗い場フロア５９側に位置する部分の両側に、脚部５６よりも高さ方向の長さが短い低脚部５７がそれぞれ設けられている。
【００３４】
低脚部５７は、傾斜ガイド部５４ａ，５４ｂ上に設置されるため、その設置位置が浴槽フロア５１の床面よりも高くなっており、その高くなった分だけ脚部５６よりも短く設定されている。また、低脚部５７の底面は、傾斜ガイド部５４ａ，５４ｂの上面の傾斜に沿った傾斜面に形成されている。このため、浴槽５２は浴槽フロア５１の床面に沿って水平状態に設置される。さらに、脚部５６の側面に被係合突部５５ａ，５５ｂに係合する適宜形状の係合部を設けても良い。この浴室ユニット１０ｂのそれ以外の部分の構成については、前述した浴室ユニット１０と同一である。したがって、同一部分に同一符号を記して説明は省略する。
【００３５】
このように本実施形態に係る浴槽の設置構造５０では、浴槽フロア５１に傾斜ガイド部５４ａ，５４ｂと被係合突部５５ａ，５５ｂとを設け、浴槽５２の底面には、浴槽フロア５１の床面に設置される高い２個の脚部５６と、傾斜ガイド部５４ａ，５４ｂ上に設置される高さの低い２個の低脚部５７とを設けている。したがって、浴槽５２を浴槽フロア５１に設置する際には、脚部５６を傾斜ガイド部５４ａ，５４ｂ上に載せて、浴槽５２を押すだけの操作で、脚部５６が被係合突部５５ａ，５５ｂに係合するため、浴槽５２を浴槽フロア５１上の設定位置に設置することができる。
【００３６】
このため、浴槽５２の設置作業が極めて簡単になり、作業者の負担が大幅に軽減される。また、交換や点検のために浴槽５２を浴槽フロア５１から取り出す際には、浴槽５２を洗い場フロア５９側に引っ張って移動させるだけの操作で済むため、同様に、取り出し作業が容易になる。この浴槽の設置構造５０のそれ以外の作用効果については、前述した浴槽の設置構造２０等と同様である。
【００３７】
また、本発明に係る浴槽の設置構造は、前述した各実施形態に限定するものでなく、適宜、変更実施が可能である。例えば、前述した第３実施形態に係る浴槽の設置構造４０では、浴槽フロア４１に被係合台部４４を設け、浴槽４２に枠状の係合突部４７を設けているが、浴槽フロアに枠状の被係合突部を設け、浴槽に枠状または平面状の係合突部を設けてもよい。また、枠状の係合突部または被係合突部に変えて、所定間隔で設置した複数個の突起を用いてもよい。
【００３８】
また、第４実施形態に係る浴槽の設置構造５０では、低脚部５７の高さを脚部５６の高さよりも低くして、低脚部５７が傾斜ガイド部５４ａ，５４ｂ上に位置するようにしているが、４個の脚部の高さを全て同じ高さにしてもよい。この場合、低脚部５７に代わる脚部は、傾斜ガイド部５４ａ，５４ｂから外れた位置に設ける。また、それ以外の各部分の構成についても、本発明の技術的範囲において適宜変更して実施することができる。
【図面の簡単な説明】
【００３９】
【図１】本発明の第１実施形態に係る浴槽の設置構造を備えた浴室ユニットを示した縦断面図である。
【図２】図１に示した浴室ユニットが備える浴室用フロアを示した斜視図である。
【図３】図１に示した浴槽の設置構造が備える被係合突部と係合凹部とを示した断面図である。
【図４】本発明の第２実施形態に係る浴槽の設置構造が備える被係合凹部と係合突部とを示した断面図である。
【図５】本発明の第３実施形態に係る浴槽の設置構造を備えた浴室ユニットを示した縦断面図である。
【図６】図５に示した浴室ユニットが備える浴室用フロアを示した斜視図である。
【図７】本発明の第４実施形態に係る浴槽の設置構造を備えた浴室ユニットを示した縦断面図である。
【図８】図７に示した浴室ユニットが備える浴室用フロアを示した斜視図である。
【符号の説明】
【００４０】
１０，１０ａ，１０ｂ…浴室ユニット、２０，４０，５０…設置構造、２１，３１，４１，５１…浴槽フロア、２２，３２，４２，５２…浴槽、２４，５５ａ，５５ｂ…被係合突部、２６，５６…脚部、２７…係合凹部、３４…被係合凹部、３７，４７…係合突部、４４…被係合台部、５４ａ，５４ｂ…傾斜ガイド部。
【図１】
2006149434.tif 000003
【図２】
2006149434.tif 000004
【図３】
2006149434.tif 000005
【図４】
2006149434.tif 000006
【図５】
2006149434.tif 000007
【図６】
2006149434.tif 000008
【図７】
2006149434.tif 000009
【図８】
2006149434.tif 000010